(57)【要約】      （修正有）【課題】懸架物を吊り下げる吊りボルトを補強する棒材を保持することができる振れ止め金具を提供する。【解決手段】天井から懸架される懸架物を懸架する吊りボルト１１０に取り付けられる取付部２１を介して互いに対称に設けられた第１基板２５及び第２基板２６を有する支持部２０を備え、懸架物の揺動を抑制する棒材１３０が保持される振れ止め金具１０において、第１基板２５に設けられて棒材１３０を第１基板２５に保持するとともに、第１基板２５に保持される棒材１１０の保持位置を吊りボルト１１０から離反する方向に伸長させる第１位置と棒材１３０の吊りボルト１１０への投影によって棒材１３０を吊りボルト１１０と交差する方向に伸長させる第２位置とで変位可能とする第１保持部３０、第２基板２６に設けられて棒材１３０を第２基板２６に保持するとともに、この棒材１３０の保持位置を第１位置と第２位置とで変位可能とする第２保持部３１を備える。【選択図】図１
2018179026.tif 000002
【特許請求の範囲】
【請求項１】
天井から懸架される懸架物を懸架する吊りボルトに取り付けられる取付部、該取付部を介して互いに対称に設けられた第１基板及び第２基板を有する支持部を備え、該支持部の前記第１基板及び前記第２基板のそれぞれに前記吊りボルトを補強して前記懸架物の揺動を抑制する棒材が保持される振れ止め金具において、
前記第１基板に設けられて前記棒材を前記第１基板に保持するとともに、該第１基板に保持される前記棒材を前記吊りボルトから離反する方向に伸長させる第１位置と前記棒材の前記吊りボルトへの投影によって前記棒材を前記吊りボルトと交差する方向に伸長させる第２位置とで変位可能とする第１保持部と、
前記第２基板に設けられて前記棒材を前記第２基板に保持するとともに、該第２基板に保持される前記棒材を前記吊りボルトから離反する方向に伸長させる第１位置と前記棒材の前記吊りボルトへの投影によって前記棒材を前記吊りボルトと交差する方向に伸長させる第２位置とで変位可能とする第２保持部と、
を備えることを特徴とする振れ止め金具。
【請求項２】
前記第１基板は、前記第１保持部が取り付けられる下側取付孔、該下側取付孔の上部に位置して前記第１保持部が前記下側取付孔と選択的に取り付けられる上側取付孔が形成され、
前記第２基板は、前記第２保持部が取り付けられる下側取付孔、該下側取付孔の上部に位置して前記第２保持部が前記下側取付孔と選択的に取り付けられる上側取付孔が形成され、
前記第１保持部は、前記第１基板の前記下側取付孔に取り付けられて前記第１位置に位置決めされ、
前記第２保持部は、前記第２基板の前記上側取付孔に取り付けられて前記第２位置に位置決めされる、
ことを特徴とする請求項１に記載の振れ止め金具。
【請求項３】
前記第１基板は、前記第１保持部が取り付けられる下側取付孔、該下側取付孔の上部に位置して前記第１保持部が前記下側取付孔と選択的に取り付けられる上側取付孔が形成され、
前記第２基板は、前記第２保持部が取り付けられる下側取付孔、該下側取付孔の上部に位置して前記第２保持部が前記下側取付孔と選択的に取り付けられる上側取付孔が形成され、
前記第１保持部は、前記第１基板の前記下側取付孔に取り付けられて前記第２位置に位置決めされ、
前記第２保持部は、前記第２基板の前記下側取付孔に取り付けられて前記第１位置に位置決めされる、
ことを特徴とする請求項２に記載の振れ止め金具。
【発明の詳細な説明】
【技術分野】
【０００１】
本発明は、振れ止め金具、特に、天井から懸架される懸架物を懸架する吊りボルトに取り付けられ、取り付けられた状態において、吊りボルトを補強して懸架物の揺動を抑制する棒材が保持される振れ止め金具に関する。
【背景技術】
【０００２】
天井から物が吊りボルトで懸架される場合、その懸架される物（以下「懸架物」という。）が例えば空調装置のような重量物である場合は、地震等によって懸架物が揺動しないように、吊りボルトに振れ止め金具が装着されることがある（例えば、特許文献１を参照）。
【０００３】
このような振れ止め金具が吊りボルトに装着されて懸架物である空調装置が懸架される場合は、図８で示すように、金属棒状の４本の吊りボルト１１０が基端１１０ａ側において図示しない天井に取り付けられるとともに、先端１１０ｂ側に空調装置１２０が取り付けられて、吊りボルト１１０によって天井から空調装置１２０が懸架される。
【０００４】
この状態で、振れ止め金具１００が４本の吊りボルト１１０の基端１１０ａ側及び先端１１０ｂ側にそれぞれ近接して取り付けられて固定され、一の吊りボルト１１０の先端１１０ｂ側の振れ止め金具１００と隣接する他の吊りボルト１１０の基端１１０ａ側の振れ止め金具１００との間に架設される筋違１３０と、他の吊りボルト１１０の先端１１０ｂ側の振れ止め金具１００と一の吊りボルト１１０の基端１１０ａ側の振れ止め金具１００との間に架設される筋違１３０とによって、各筋違１３０、１３０が交差して振れ止め金具１００に固定される。
【０００５】
このように、吊りボルト１１０によって懸架された空調装置１２０が、振れ止め金具１００が吊りボルト１１０に装着されて各筋違１３０、１３０が固定されることによって、地震等により揺動することが抑制される。
【先行技術文献】
【特許文献】
【０００６】
【特許文献１】特開２０１５−２１５０１２
【発明の概要】
【発明が解決しようとする課題】
【０００７】
しかし、例えば図９で示すように、天井Ｃの構造上の理由等から、天井Ｃから下側に突出する天井構造物Ｃ１の直下に空調装置１２０を懸架せざるを得ない場合もある。このような場合に、天井構造物Ｃ１を跨ぐように天井Ｃに設けられた一対の互いに隣接する吊りボルト１１０の間においては、各筋違１３０、１３０を架設することができない。
【０００８】
したがって、例えば、図示のように、地震等によって空調装置１２０にＹ方向の振動が付与される場合には、一の吊りボルト１１０と他の吊りボルト１１０との間に交差して架設された各筋違１３０、１３０によって、空調装置１２０の揺動が抑制される。
【０００９】
一方、地震等によって空調装置１２０にＸ方向の振動が付与されると、天井構造物Ｃ１を跨ぐように天井Ｃに設けられた一対の互いに隣接する吊りボルト１１０の間には各筋違１３０、１３０が設けられていないことから、空調装置１２０の揺動が抑制されないことが懸念される。
【００１０】
本発明は、上記事情に鑑みてなされたものであり、懸架物を吊り下げる吊りボルトを補強する棒材を、天井の状況に影響を受けることなく保持することができる振れ止め金具を提供することを課題とするものである。
【課題を解決するための手段】
【００１１】
上記課題を解決するための第１の振れ止め金具は、天井から懸架される懸架物を懸架する吊りボルトに取り付けられる取付部、該取付部を介して互いに対称に設けられた第１基板及び第２基板を有する支持部を備え、該支持部の前記第１基板及び前記第２基板のそれぞれに前記吊りボルトを補強して前記懸架物の揺動を抑制する棒材が保持される振れ止め金具において、前記第１基板に設けられて前記棒材を前記第１基板に保持するとともに、該第１基板に保持される前記棒材を前記吊りボルトから離反する方向に伸長させる第１位置と前記棒材の前記吊りボルトへの投影によって前記棒材を前記吊りボルトと交差する方向に伸長させる第２位置とで変位可能とする第１保持部と、前記第２基板に設けられて前記棒材を前記第２基板に保持するとともに、該第２基板に保持される前記棒材を前記吊りボルトから離反する方向に伸長させる第１位置と前記棒材の前記吊りボルトへの投影によって前記棒材を前記吊りボルトと交差する方向に伸長させる第２位置とで変位可能とする第２保持部と、を備えることを特徴とする。
【００１２】
この構成によれば、振れ止め金具は、棒材の保持位置を吊りボルトから離反する方向に伸長させる第１位置と、吊りボルトへの投影によって棒材を吊りボルトと交差する方向に伸長させる第２位置とで変位可能な第１保持部及び第２保持部を備える。
【００１３】
したがって、懸架物を天井から懸架する吊りボルトを補強する棒材を保持するに際して、吊りボルトを設ける天井の状況に対応させて、第１保持部材及び第２保持部材をそれぞれ第１位置と第２位置とで変位させて、棒材を保持することができる。これにより、棒材を、吊りボルトを補強する補強材として構成することができる。
【００１４】
第２の振れ止め金具は、第１の振れ止め金具において、前記第１基板は、前記第１保持部が取り付けられる下側取付孔、該下側取付孔の上部に位置して前記第１保持部が前記下側取付孔と選択的に取り付けられる上側取付孔が形成され、  前記第２基板は、前記第２保持部が取り付けられる下側取付孔、該下側取付孔の上部に位置して前記第２保持部が前記下側取付孔と選択的に取り付けられる上側取付孔が形成され、前記第１保持部は、前記第１基板の前記下側取付孔に取り付けられて前記第１位置に位置決めされ、前記第２保持部は、前記第２基板の前記上側取付孔に取り付けられて前記第２位置に位置決めされる、ことを特徴とする。
【００１５】
この構成によれば、振れ止め金具は、第１基板の下側取付孔及び上側取付孔に第１保持部が選択的に取り付けられることによって、第１保持部が第１位置と第２位置とで変位可能に形成され、第２基板の下側取付孔及び上側取付孔に第２保持部が選択的に取り付けられることによって、第２保持部が第１位置と第２位置とで変位可能に形成される。
【００１６】
かかる構成において、吊りボルトを設ける天井の状況に対応させて、第１基板の下側取付孔に第１保持部を取り付けることによって、第１保持部が第１位置に位置決めされるとともに、第２基板の上側取付孔に第２保持部を取り付けることによって、第２保持部が第２位置に位置決めされる。
【００１７】
第３の振れ止め金具は、第１の振れ止め金具において、前記第１基板は、前記第１保持部が取り付けられる下側取付孔、該下側取付孔の上部に位置して前記第１保持部が前記下側取付孔と選択的に取り付けられる上側取付孔が形成され、前記第２基板は、前記第２保持部が取り付けられる下側取付孔、該下側取付孔の上部に位置して前記第２保持部が前記下側取付孔と選択的に取り付けられる上側取付孔が形成され、前記第１保持部は、前記第１基板の前記下側取付孔に取り付けられて前記第２位置に位置決めされ、前記第２保持部は、前記第２基板の前記下側取付孔に取り付けられて前記第１位置に位置決めされる、ことを特徴とする。
【００１８】
この構成によれば、振れ止め金具は、第１基板の下側取付孔及び上側取付孔に第１保持部が選択的に取り付けられることによって、第１保持部が第１位置と第２位置とで変位可能に形成され、第２基板の下側取付孔及び上側取付孔に第２保持部が選択的に取り付けられることによって、第２保持部が第１位置と第２位置とで変位可能に形成される。
【００１９】
かかる構成において、吊りボルトを設ける天井の状況に対応させて、第１基板の下側取付孔に第１保持部を取り付けることによって、第１保持部が第２位置に位置決めされるとともに、第２基板の下側取付孔に第２保持部を取り付けることによって、第２保持部が第１位置に位置決めされる。
【発明の効果】
【００２０】
この発明によると、天井の状況に影響を受けることなく、懸架物を吊り下げる吊りボルトを補強する棒材を保持することができる。
【図面の簡単な説明】
【００２１】
【図１】本発明の実施の形態に係る振れ止め金具の概略を説明する分解斜視図である。
【図２】同じく、本実施の形態に係る振れ止め金具の正面図である。
【図３】同じく、本実施の形態に係る振れ止め金具の概略を説明する図であり、（ａ）は図２のＡ矢視図、（ｂ）は図２のＢ矢視図である。
【図４】同じく、本実施の形態に係る振れ止め金具において、第１保持部が第１位置に位置決めされ、第２保持部が第２位置に位置決めされた状態の概略を説明する正面図である。
【図５】同じく、本実施の形態に係る振れ止め金具において、第１保持部が第１位置に位置決めされ、第２保持部が第２位置に位置決めされた状態の概略を説明する正面図である。
【図６】同じく、本実施の形態に係る振れ止め金具が、天井から懸架物を吊り下げる吊りボルトに装着された状態の概略を説明する図である。
【図７】同じく、本実施の形態に係る振れ止め金具が、天井から懸架物を吊り下げる吊りボルトに装着された状態の概略を説明する図である。
【図８】従来の振れ止め金具によって、懸架物の振れ止めの施工がなされた状態の概略を説明する図である。
【図９】天井構造物の直下に懸架物を懸架した際に、従来の振れ止め金具によって懸架物の振れ止めの施工がなされた状態の概略を説明する図である。
【発明を実施するための形態】
【００２２】
次に、本発明の実施の形態について、図１〜図７に基づいて説明する。
【００２３】
なお、本実施の形態において、懸架物が空調装置である場合を例として説明する。
【００２４】
図１は、本実施の形態に係る振れ止め金具の概略を説明する分解斜視図、図２は、本実施の形態に係る振れ止め金具の正面図、図３は、同じく本実施の形態に係る振れ止め金具の概略を説明する図であり、（ａ）は図２のＡ矢視図、（ｂ）は図２のＢ矢視図である。
【００２５】
図示のように、振れ止め金具１０は、吊りボルト１１０に取り付けられる支持部２０、この支持部２０に設けられて断面円柱状の棒材１３０を保持する第１保持部３０及び第２保持部３１を主要構成として備える。
【００２６】
支持部２０は、本実施の形態では、吊りボルト１１０に装着される断面コ字状の取付部２１、取付部２１を介して取付部２１の両端から矢線Ｒで示す後方に向かって折曲して傾斜する、互いに対称に形成された第１基板２５及び第２基板２６を有する板金製であって、プレス加工によって形成される。
【００２７】
この第１基板２５と第２基板２６とがなす、第１基板２５と第２基板２６との開き角度は、本実施の形態では９０°に設定されている。
【００２８】
取付部２１は、支持部２０の前部となる基板２２、基板２２の上端から後方Ｒに向かって折曲して形成された上部２３、及び基板２２の下端から後方Ｒに向かって折曲して形成された下部２４を有して形成される。
【００２９】
基板２２には、本実施の形態では、矢線Ｆで示す前方から後方Ｒに向かって、係合ナット２２ａを介して係合ボルト２２ｂが嵌挿されている。
【００３０】
上部２３には、本実施の形態では、鉤型に切り欠かれた係合部２３Ａが形成されている。この係合部２３Ａは、上部２３の側端縁から上部２３の内方に切り欠かれた案内部２３Ａａ、案内部２３Ａａから後方Ｒに向かって折曲して切り欠かれた送り部２３Ａｂを有する。
【００３１】
一方、下部２４にも、上部２３に形成された係合部２３Ａが下部２４に投影される位置において、係合部２３Ａと同一の形状の係合部２４Ａが形成されている。この係合部２４Ａは、下部２４の側端縁から下部２４の内方に切り欠かれた案内部２４Ａａ、案内部２４Ａａから後方Ｒに向かって折曲して切り欠かれた送り部２４Ａｂを有する。
【００３２】
第１基板２５は、本実施の形態では、第１基板２５の下部に穿孔された下側取付孔２５ａ、及びこの下側取付孔２５ａの上部に穿孔された上側取付孔２５ｂを有する。一方、第２基板２６も第１基板２５と同様に、第２基板２６の下部に穿孔された下側取付孔２６ａ、及びこの下側取付孔２６ａの上部に穿孔された上側取付孔２６ｂを有する。
【００３３】
第１保持部３０は、平板状の取付パネル３０Ａ、及び取付パネル３０Ａと連続する保持部本体３０Ｂを有する板金製であって、この保持部本体３０Ｂは、棒材１１０の外周面に倣った内周面３０Ｂａを有する半割状に形成される。
【００３４】
この第１保持部３０は、取付パネル３０Ａに形成された挿通孔３０Ａａを介して、第１取付ボルト３２によって、下側取付孔２５ａまたは上側取付孔２５ｂに取り付けられる。
【００３５】
この第１保持部３０は、下側取付孔２５ａに取り付けられることによって、棒材１３０が取付部２１において装着される吊りボルト１１０から離反する方向に伸長される第１位置に、位置決めされる。
【００３６】
一方、第１保持部３０は、上側取付孔２５ｂに取り付けられることによって、棒材１３０が棒材１３０の吊りボルト１１０への投影によって吊りボルト１１０と交差する方向に伸長される第２位置に、位置決めされる。
【００３７】
第２保持部３１は、平板状の取付パネル３１Ａ、及び取付パネル３１Ａと連続する保持部本体３１Ｂを有する板金製であって、この保持部本体３１Ｂは、筋違１１０の外周面に倣った内周面３１Ｂａを有する半割状に形成される。
【００３８】
この第２保持部３１は、取付パネル３１Ａに形成された挿通孔３１Ａａを介して、第２取付ボルト３３によって、下側取付孔２６ａまたは上側取付孔２６ｂに取り付けられる。
【００３９】
この第２保持部３１は、下側取付孔２６ａに取り付けられることによって、棒材１３０が取付部２１において装着される吊りボルト１１０から離反する方向に伸長される第１位置に、位置決めされる。
【００４０】
一方、第２保持部３１は、上側取付孔２６ｂに取り付けられることによって、棒材１３０が棒材１１０の吊りボルト１１０への投影によって吊りボルト１１０と交差する方向に伸長される第２位置に、位置決めされる。
【００４１】
図２の正面図で示した振れ止め金具１０は、本実施の形態では、第１保持部３０及び第２保持部３１ともに、それぞれ下側取付孔２５ａ、２６ａに取り付けられることによって、第１位置に位置決めされている。
【００４２】
すなわち、第１保持部３０及び第２保持部３１がいずれも第１位置に位置決めされることによって、第１保持部３０に保持される棒材１３０及び第２保持部３１に保持される棒材１３０のいずれもが、取付部２１において装着される吊りボルト１１０から離反する方向に伸長するように保持される。
【００４３】
図４は、振れ止め金具１０において、第１保持部３０が第１位置に位置決めされ、第２保持部３１が第２位置に位置決めされた状態の概略を説明する正面図である。
【００４４】
図示のように、第１保持部３０は、下側取付孔２５ａに取り付けられることによって、棒材１３０が取付部２１において装着される吊りボルト１１０から離反する方向に伸長される第１位置に、位置決めされる。
【００４５】
一方、第２保持部３１は、上側取付孔２６ｂに取り付けられることによって、棒材１３０が棒材１３０の吊りボルト１１０への投影によって吊りボルト１１０と交差する方向に伸長される第２位置に、位置決めされる。
【００４６】
ここで、第２保持部３１は、その保持部本体３１Ｂが矢線Ｈで示す水平方向から起立して傾斜する矢線Ｉで示す傾斜方向と平行となるように位置合わせがなされ、その状態で第２取付ボルト３３によって固定される。
【００４７】
図５は、振れ止め金具１０において、第１保持部３０が第１位置に位置決めされ、第２保持部３１が第２位置に位置決めされた状態の概略を説明する正面図である。
【００４８】
図示のように、第１保持部３０は、下側取付孔２５ａに取り付けられることによって、棒材１１０が取付部２１において装着される吊りボルト１００から離反する方向に伸長される第１位置に、位置決めされる。
【００４９】
一方、第２保持部３１は、上側取付孔２６ｂに取り付けられることによって、棒材１３０が棒材１３０の吊りボルト１１０への投影によって吊りボルト１１０と交差する方向に伸長される第２位置に、位置決めされる。
【００５０】
ここで、第２保持部３１は、その保持部本体３１Ｂが水平方向Ｈと平行となるように位置合わせがなされ、その状態で第２取付ボルト３３によって固定される。
【００５１】
図６は、天井Ｃから空調装置１２０が吊りボルト１１０で懸架される場合において、吊りボルト１１０に本実施の形態の振れ止め金具１０が装着される場合の概略を説明する図である。
【００５２】
図示のように、天井Ｃから下側に突出した例えば梁などの天井構造物Ｃ１の直下に空調装置１２０が懸架されて設置される場合は、本実施の形態では、４本の吊りボルト１１０−１〜１１０−４によって懸架される。
【００５３】
具体的には、一対の互いに隣接する吊りボルト１１０−１、１１０−２が、矢線Ｘで示す天井構造物Ｃ１の幅方向において天井構造物Ｃ１を跨ぐようにその基端１１０ａ、１１０ａにおいて天井Ｃに設けられるとともに、これら各吊りボルト１１０−１、１１０−２と矢線Ｙで示す天井構造物Ｃ１の奥行方向においてそれぞれ対向する吊りボルト１１０−３、１１０−４がその基端１１０ａ、１１０ａにおいて天井Ｃに設けられる。
【００５４】
一方、吊りボルト１１０−１、１１０−２の先端１１０ｂ、１１０ｂ、及び吊りボルト１１０−３、１１０−４の先端１１０ｂ、１１０ｂに、空調装置１２０に設けられた取付基板１２０ａを介して空調装置１２０が取り付けられて、吊りボルト１１０−１〜１１０−４によって天井Ｃから空調装置１２０が懸架される。
【００５５】
この状態で、吊りボルト１１０−１、１１０−２の基端１１０ａ、１１０ａ側に近接して、及び吊りボルト１１０−３、１１０−４の基端１１０ａ、１１０ａ側に近接して、振れ止め金具１０がその取付部２１において各吊りボルト１１０−１〜１１０−４に取り付けられる。
【００５６】
さらに、吊りボルト１１０−１、１１０−２の先端１１０ｂ、１１０ｂ側に近接して、及び吊りボルト１１０−３、１１０−４の先端１１０ｂ、１１０ｂ側に近接して、振れ止め金具１０がその取付部２１において各吊りボルト１１０−１〜１１０−４に取り付けられる。
【００５７】
この振れ止め金具１０は、取付部２１の上部２３に形成された係合部２３Ａの送り部２３Ａｂ、及び取付部２１の下部２４に形成された係合部２４Ａの送り部２４Ａｂに吊りボルト１１０−１〜１１０−４が係合されたときに、係合ナット２２ａを介して係合ボルト２２ｂが強固に締結されることによって、吊りボルト１１０−１〜１１０−４に取り付けられて固定される。
【００５８】
吊りボルト１１０−１の先端１１０ｂ側に近接して取り付けられた振れ止め金具１０の第１保持部３０は、本実施の形態では、下側取付孔２５ａに取り付けられて第１位置に位置決めされ、第１位置において棒材１３０がその一端側で保持されて、吊りボルト１１０−１から離反する方向に伸長する。
【００５９】
この棒材１３０の他端側が、吊りボルト１１０−３の基端１１０ａ側に近接して取り付けられた振れ止め金具１０の第２基板２６の上側取付孔２６ｂに取り付けられた第２保持部３１に保持される。
【００６０】
これにより、吊りボルト１１０−１の先端１１０ｂ側に取り付けられた振れ止め金具１０と吊りボルト１１０−３の基端１１０ａ側に取り付けられた振れ止め金具１０との間に、棒材１３０が架設されて、筋違４０として構成される。
【００６１】
吊りボルト１１０−１の先端１１０ｂ側に近接して取り付けられた振れ止め金具１０の第２保持部３１は、本実施の形態では、上側取付孔２６ｂに取り付けられて第２位置に位置決めされる。
【００６２】
ここで、第２保持部３１は、その保持部本体３１Ｂが水平方向Ｈから起立して傾斜する傾斜方向Ｉと平行となるように位置合わせがなされ、この状態で第２取付ボルト３３によって固定されることから、第２位置において一端側で保持された棒材１３０は、吊りボルト１１０に投影した場合に吊りボルト１１０と交差する傾斜方向Ｉに伸長する。
【００６３】
この棒材１３０の他端側が、天井構造物Ｃ１から離間した天井Ｃの任意の位置において取り付けられ、吊りボルト１１０−１の先端１１０ｂ側に取り付けられた振れ止め金具１０と天井Ｃとの間で傾斜して架設されて、吊りボルト１１０−１の補強材５０として構成される。
【００６４】
吊りボルト１１０−３の先端１１０ｂ側に近接して取り付けられた振れ止め金具１０の第２保持部３１は、本実施の形態では、下側取付孔２５ａに取り付けられて第１位置に位置決めされ、第１位置において棒材１３０がその一端側で保持されて、吊りボルト１１０−３から離反する方向に伸長する。
【００６５】
この棒材１３０の他端側が、吊りボルト１１０−１の基端１１０ａ側に近接して取り付けられた振れ止め金具１０の第１基板２５の上側取付孔２５ｂに取り付けられた第１保持部３０に保持される。
【００６６】
これにより、吊りボルト１１０−３の先端１１０ｂ側に取り付けられた振れ止め金具１０と吊りボルト１１０−１の基端１１０ａ側に取り付けられた振れ止め金具１０との間に、棒材１３０が架設されて、筋違４０として構成される。
【００６７】
吊りボルト１１０−３の先端１１０ｂ側に近接して取り付けられた振れ止め金具１０の第１保持部３０は、本実施の形態では、上側取付孔２５ｂに取り付けられて第２位置に位置決めされる。
【００６８】
ここで、第２保持部３１は、その保持部本体３１Ｂが水平方向Ｈから起立して傾斜する傾斜方向Ｉと平行となるように位置合わせがなされ、この状態で第２取付ボルト３３によって固定されることから、第２位置において一端側で保持された棒材１３０は、吊りボルト１１０に投影した場合に吊りボルト１１０と交差する傾斜方向Ｉに伸長する。
【００６９】
この棒材１３０の他端側が、天井構造物Ｃ１から離間した天井Ｃの任意の位置において取り付けられ、吊りボルト１１０−３の先端１１０ｂ側に取り付けられた振れ止め金具１０と天井Ｃとの間で傾斜して架設されて、吊りボルト１１０−３の補強材５０として構成される。
【００７０】
吊りボルト１１０−４の先端１１０ｂ側に近接して取り付けられた振れ止め金具１０の第１保持部３０は、本実施の形態では、下側取付孔２５ａに取り付けられて第１位置に位置決めされ、第１位置において棒材１３０がその一端側で保持されて、吊りボルト１１０−１から離反する方向に伸長する。
【００７１】
この棒材１３０の他端側が、吊りボルト１１０−２の基端１１０ａ側に近接して取り付けられた振れ止め金具１０の第２基板２６の上側取付孔２６ｂに取り付けられた第２保持部３１に保持される。
【００７２】
これにより、吊りボルト１１０−４の先端１１０ｂ側に取り付けられた振れ止め金具１０と吊りボルト１１０−２の基端１１０ａ側に取り付けられた振れ止め金具１０との間に、棒材１３０が架設されて、筋違４０として構成される。
【００７３】
吊りボルト１１０−４の先端１１０ｂ側に近接して取り付けられた振れ止め金具１０の第２保持部３１は、本実施の形態では、上側取付孔２６ｂに取り付けられて第２位置に位置決めされる。
【００７４】
ここで、第２保持部３１は、その保持部本体３１Ｂが水平方向Ｈから起立して傾斜する傾斜方向Ｉと平行となるように位置合わせがなされ、この状態で第２取付ボルト３３によって固定されることから、第２位置において一端側で保持された棒材１３０は、吊りボルト１１０に投影した場合に吊りボルト１１０と交差する傾斜方向Ｉに伸長する。
【００７５】
この棒材１３０の他端側が、天井構造物Ｃ１から離間した天井Ｃの任意の位置において取り付けられ、吊りボルト１１０−４の先端１１０ｂ側に取り付けられた振れ止め金具１０と天井Ｃとの間で傾斜して架設されて、吊りボルト１１０−４の補強材５０として構成される。
【００７６】
吊りボルト１１０−２の先端１１０ｂ側に近接して取り付けられた振れ止め金具１０の第２保持部３１は、本実施の形態では、下側取付孔２５ａに取り付けられて第１位置に位置決めされ、第１位置において棒材１３０がその一端側で保持されて、吊りボルト１１０−２から離反する方向に伸長する。
【００７７】
この棒材１３０の他端側が、吊りボルト１１０−４の基端１１０ａ側に近接して取り付けられた振れ止め金具１０の第１基板２５の上側取付孔２５ｂに取り付けられた第１保持部３０に保持される。
【００７８】
これにより、吊りボルト１１０−２の先端１１０ｂ側に取り付けられた振れ止め金具１０と吊りボルト１１０−４の基端１１０ａ側に取り付けられた振れ止め金具１０との間に、棒材１３０が架設されて、筋違４０として構成される。
【００７９】
吊りボルト１１０−２の先端１１０ｂ側に近接して取り付けられた振れ止め金具１０の第１保持部３０は、本実施の形態では、上側取付孔２５ｂに取り付けられて第２位置に位置決めされる。
【００８０】
ここで、第２保持部３１は、その保持部本体３１Ｂが水平方向Ｈから起立して傾斜する傾斜方向Ｉと平行となるように位置合わせがなされ、この状態で第２取付ボルト３３によって固定されることから、第２位置において一端側で保持された棒材１３０は、吊りボルト１１０に投影した場合に吊りボルト１１０と交差する傾斜方向Ｉに伸長する。
【００８１】
この棒材１３０の他端側が、天井構造物Ｃ１から離間した天井Ｃの任意の位置において取り付けられ、吊りボルト１１０−２の先端１１０ｂ側に取り付けられた振れ止め金具１０と天井Ｃとの間で傾斜して架設されて、吊りボルト１１０−２の補強材５０として構成される。
【００８２】
このように、振れ止め金具１０は、第１基板２５の下側取付孔２５ａ及び上側取付孔２５ｂに第１保持部３０が選択的に取り付けられることによって、第１保持部３０が第１位置と第２位置とで変位可能に形成され、第２基板２６の下側取付孔２６ａ及び上側取付孔２６ｂに第２保持部３１が選択的に取り付けられることによって、第２保持部３１が第１位置と第２位置とで変位可能に形成される。
【００８３】
したがって、天井Ｃから突出する天井構造物Ｃ１の直下に空調装置１２０を設置する場合であっても、第１保持部３０及び第２保持部３１をそれぞれ第１位置と第２位置とで変位させて、天井構造物Ｃ１を回避しながら棒材１３０を吊りボルト１３０の補強材５０として構成することができる。
【００８４】
本実施の形態では、吊りボルト１１０−１と吊りボルト１１０−３との間で各棒材１３０、１３０が交差して架設されて筋違４０として構成され、かつ吊りボルト１１０−４と吊りボルト１１０−２との間で各棒材１３０、１３０が交差して架設されて筋違４０として構成されることから、地震等によって空調装置１２０にＹ方向の振動が付与されても、筋違４０によって空調装置１２０の揺動が抑制される。
【００８５】
一方、吊りボルト１１０−１と吊りボルト１１０−２との間、及び吊りボルト１１０−３と吊りボルト１１０−４との間には、筋違４０は構成されていないものの、各吊りボルト１１０−１〜１１０−４を補強する補強材５０が構成されることから、地震等によって空調装置１２０にＸ方向の振動が付与されても、補強材５０によって空調装置１２０の揺動が抑制される。
【００８６】
図７は、天井Ｃから空調装置１２０が吊りボルト１１０で懸架される場合において、吊りボルト１１０に本実施の形態の振れ止め金具１０が装着される場合の概略を説明する図である。
【００８７】
図示のように、天井Ｃから下側に突出した例えば梁などの天井構造物Ｃ１の直下に空調装置１２０が懸架されて設置される場合は、４本の吊りボルト１１０−１〜１１０−４によって懸架される。
【００８８】
具体的には、一対の互いに隣接する吊りボルト１１０−１、１１０−２が、矢線Ｘで示す天井構造物Ｃ１の幅方向において天井構造物Ｃ１を跨ぐようにその基端１１０ａ、１１０ａにおいて天井Ｃに設けられるとともに、これら各吊りボルト１１０−１、１１０−２と矢線Ｙで示す天井構造物Ｃ１の奥行方向においてそれぞれ対向する吊りボルト１１０−３、１１０−４がその基端１１０ａ、１１０ａにおいて天井Ｃに設けられる。
【００８９】
一方、吊りボルト１１０−１、１１０−２の先端１１０ｂ、１１０ｂ、及び吊りボルト１１０−３、１１０−４の先端１１０ｂ、１１０ｂに、空調装置１２０に設けられた取付基板１２０ａを介して空調装置１２０が取り付けられて、吊りボルト１１０−１〜１１０−４によって天井Ｃから空調装置１２０が懸架される。
【００９０】
この状態で、吊りボルト１１０−１、１１０−２の基端１１０ａ、１１０ａ側に近接して、及び吊りボルト１１０−３、１１０−４の基端１１０ａ、１１０ａ側に近接して、振れ止め金具１０がその取付部２１において各吊りボルト１１０−１〜１１０−４に取り付けられる。
【００９１】
さらに、吊りボルト１１０−１、１１０−２の先端１１０ｂ、１１０ｂ側に近接して、及び吊りボルト１１０−３、１１０−４の先端１１０ｂ、１１０ｂ側に近接して、振れ止め金具１０がその取付部２１において各吊りボルト１１０−１〜１１０−４に取り付けられる。
【００９２】
この振れ止め金具１０は、取付部２１の上部２３に形成された係合部２３Ａの送り部２３Ａｂ、及び取付部２１の下部２４に形成された係合部２４Ａの送り部２４Ａｂに吊りボルト１１０−１〜１１０−４が係合されたときに、係合ナット２２ａを介して係合ボルト２２ｂが強固に締結されることによって、吊りボルト１１０−１〜１１０−４に取り付けられて固定される。
【００９３】
吊りボルト１１０−１の先端１１０ｂ側に近接して取り付けられた振れ止め金具１０の第１保持部３０は、本実施の形態では、下側取付孔２５ａに取り付けられて第１位置に位置決めされ、第１位置において棒材１３０がその一端側で保持されて、吊りボルト１１０−１から離反する方向に伸長する。
【００９４】
この棒材１３０の他端側が、吊りボルト１１０−３の基端１１０ａ側に近接して取り付けられた振れ止め金具１０の第２基板２６の上側取付孔２６ｂに取り付けられた第２保持部３１に保持される。
【００９５】
これにより、吊りボルト１１０−１の先端１１０ｂ側に取り付けられた振れ止め金具１０と吊りボルト１１０−３の基端１１０ａ側に取り付けられた振れ止め金具１０との間に、棒材１３０が架設されて、筋違４０として構成される。
【００９６】
吊りボルト１１０−１の先端１１０ｂ側に近接して取り付けられた振れ止め金具１０の第２保持部３１は、本実施の形態では、上側取付孔２６ｂに取り付けられて第２位置に位置決めされる。
【００９７】
ここで、第２保持部３１は、その保持部本体３１Ｂが水平方向Ｈと平行となるように位置合わせがなされ、この状態で第２取付ボルト３３によって固定されることから、第２位置において一端側で保持された棒材１３０は、吊りボルト１１０に投影した場合に吊りボルト１１０と交差する水平方向Ｈに伸長する。
【００９８】
この棒材１３０の他端側が、吊りボルト１１０−２の先端１１０ｂ側に取り付けられた振れ止め金具１０の第１保持部３０に保持される。第１保持部３０は、本実施の形態では、上側取付孔２５ｂに取り付けられて第２位置に位置決めされ、保持部本体３０Ｂが水平方向Ｈと平行となるように位置合わせがなされ、その状態で第１取付ボルト３２によって固定される。
【００９９】
これにより、吊りボルト１１０−１の振れ止め部材１０と吊りボルト１１０−２の振れ止め部材１０との間で、棒材１３０が水平方向Ｈに伸長して架設され、吊りボルト１１０−１、１１０−２を補強する横補強材６０として構成される。
【０１００】
吊りボルト１１０−２の先端１１０ｂ側に取り付けられた振れ止め金具１０の第２保持部３１は、本実施の形態では、下側取付孔２６ａに取り付けられて第１位置に位置決めされ、第１位置において棒材１３０がその一端側で保持されて、吊りボルト１１０−２から離反する方向に伸長する。
【０１０１】
この棒材１３０の他端側が、吊りボルト１１０−４の基端１１０ａ側に近接して取り付けられた振れ止め金具１０の第１基板２５の上側取付孔２５ｂに取り付けられた第１保持部３０に保持される。
【０１０２】
これにより、吊りボルト１１０−２の先端１１０ｂ側に取り付けられた振れ止め金具１０と吊りボルト１１０−４の基端１１０ａ側に取り付けられた振れ止め金具１０との間に、棒材１３０が架設されて、筋違４０として構成される。
【０１０３】
一方、吊りボルト１１０−３の先端１１０ｂ側に近接して取り付けられた振れ止め金具１０の第２保持部３１は、本実施の形態では、下側取付孔２６ａに取り付けられて第１位置に位置決めされ、第１位置において棒材１３０がその一端側で保持されて、吊りボルト１１０−３から離反する方向に伸長する。
【０１０４】
この棒材１３０の他端側が、吊りボルト１１０−１の基端１１０ａ側に近接して取り付けられた振れ止め金具１０の第１基板２５の上側取付孔２５ｂに取り付けられた第１保持部３０に保持される。
【０１０５】
これにより、吊りボルト１１０−３の先端１１０ｂ側に取り付けられた振れ止め金具１０と吊りボルト１１０−１の基端１１０ａ側に取り付けられた振れ止め金具１０との間に、棒材１３０が架設されて、筋違４０として構成される。
【０１０６】
吊りボルト１１０−３の先端１１０ｂ側に近接して取り付けられた振れ止め金具１０の第１保持部３０は、本実施の形態では、上側取付孔２５ｂに取り付けられて第２位置に位置決めされる。
【０１０７】
ここで、第１保持部３０は、その保持部本体３０Ｂが水平方向Ｈと平行となるように位置合わせがなされ、この状態で第１取付ボルト３２によって固定されることから、第２位置において一端側で保持された棒材１３０は、吊りボルト１１０に投影した場合に吊りボルト１１０と交差する水平方向Ｈに伸長する。
【０１０８】
この棒材１３０の他端側が、吊りボルト１１０−４の先端１１０ｂ側に取り付けられた振れ止め金具１０の第２保持部３１に保持される。第２保持部３１は、本実施の形態では、上側取付孔２６ｂに取り付けられて第２位置に位置決めされ、保持部本体３０Ｂが水平方向Ｈと平行となるように位置合わせがなされ、その状態で第２取付ボルト３３によって固定される。
【０１０９】
これにより、吊りボルト１１０−３の振れ止め部材１０と吊りボルト１１０−４の振れ止め部材１０との間で、棒材１３０が水平方向Ｈに伸長して架設され、吊りボルト１１０−３、１１０−４を補強する横補強材６０として構成される。
【０１１０】
吊りボルト１１０−４の先端１１０ｂ側に取り付けられた振れ止め金具１０の第１保持部３０は、本実施の形態では、下側取付孔２５ａに取り付けられて第１位置に位置決めされ、第１位置において棒材１３０がその一端側で保持されて、吊りボルト１１０−２から離反する方向に伸長する。
【０１１１】
この棒材１３０の他端側が、吊りボルト１１０−２の基端１１０ａ側に近接して取り付けられた振れ止め金具１０の第２基板２６の上側取付孔２６ｂに取り付けられた第２保持部３１に保持される。
【０１１２】
これにより、吊りボルト１１０−４の先端１１０ｂ側に取り付けられた振れ止め金具１０と吊りボルト１１０−２の基端１１０ａ側に取り付けられた振れ止め金具１０との間に、棒材１３０が架設されて、筋違４０として構成される。
【０１１３】
一方、吊りボルト１１０−１の外方で、吊りボルト１１０−１と隣接して平行する棒状の縦補強材７０が天井Ｃに設けられる。この縦補強材７０は、横補強材６０の一端側と交差して、縦補強材７０と横補強材６０とが交差する箇所において、連結金具８０によって横補強材６０と連結される。
【０１１４】
同様に、吊りボルト１１０−２の外方で、吊りボルト１１０−２と隣接して平行する棒状の縦補強材７０が天井Ｃに設けられる。この縦補強材７０は、横補強材６０の他端側と交差して、縦補強材７０と横補強材６０とが交差する箇所において、連結金具８０によって横補強材６０と連結される。
【０１１５】
同様に、吊りボルト１１０−３の外方で、吊りボルト１１０−３と隣接して平行する棒状の縦補強材７０が天井Ｃに設けられる。この縦補強材７０は、横補強材６０の一端側と交差して、縦補強材７０と横補強材６０とが交差する箇所において、連結金具８０によって横補強材６０と連結される。
【０１１６】
同様に、吊りボルト１１０−４の外方で、吊りボルト１１０−４と隣接して平行する棒状の縦補強材７０が天井Ｃに設けられる。この縦補強材７０は、横補強材６０の他端側と交差して、縦補強材７０と横補強材６０とが交差する箇所において、連結金具８０によって横補強材６０と連結される。
【０１１７】
このように、吊りボルト１１０−１と吊りボルト１１０−３との間で各棒材１３０、１３０が交差して架設されて筋違４０として構成され、かつ吊りボルト１１０−４と吊りボルト１１０−２との間で各棒材１３０、１３０が交差して架設されて筋違４０として構成されることから、地震等によって空調装置１２０にＹ方向の振動が付与されても、筋違４０によって空調装置１２０の揺動が抑制される。
【０１１８】
一方、吊りボルト１１０−１と吊りボルト１１０−２との間、及び吊りボルト１１０−３と吊りボルト１１０−４との間には、筋違４０は構成されていないものの、各吊りボルト１１０−１〜１１０−４を補強する縦補強材７０、吊りボルト１１０−１と吊りボルト１１０−２との間及び吊りボルト１１０−３と吊りボルト１１０−４との間を補強する横補強材６０が構成されることから、地震等によって空調装置１２０にＸ方向の振動が付与されても、縦補強材７０及び横補強材６０によって空調装置１２０の揺動が抑制される。
【０１１９】
なお、本発明は上記実施の形態に限定されることはなく、発明の趣旨を逸脱しない範囲で種々変更可能である。上記実施の形態では、懸架物が空調装置１２０である場合を説明したが、配管ダクト等、天井から懸架される物体であれば適用することができる。
【０１２０】
上記実施の形態では、懸架物が天井構造物Ｃ１の直下に懸架される場合に振れ止め金具１０が用いられる場合を説明したが、天井Ｃの平坦な面から懸架物を懸架する場合であっても振れ止め金具１０を用いることができる。
【符号の説明】
【０１２１】
１０    振れ止め金具
２０    支持部
２１    取付部
２５    第１基板
２５ａ    下側取付孔
２５ｂ    上側取付孔
２６    第２基板
２６ａ    下側取付孔
２６ｂ    上側取付孔
３０    第１保持部
３１    第２保持部
４０    筋違
５０    横補強材
６０    縦補強材
１１０    吊りボルト
１２０    空調装置（懸架物）
１３０    棒材
Ｃ    天井
Ｃ１    天井構造物
【図１】
2018179026.tif 000003
【図２】
2018179026.tif 000004
【図３】
2018179026.tif 000005
【図４】
2018179026.tif 000006
【図５】
2018179026.tif 000007
【図６】
2018179026.tif 000008
【図７】
2018179026.tif 000009
【図８】
2018179026.tif 000010
【図９】
2018179026.tif 000011